(57)【要約】【課題】優れたアピール効果を発揮することができる釣り用ルアーを提供する。【解決手段】内部が中空状をなす釣り用ルアー１であって、軸方向における両側の端部の内部側に支持された支軸３０と、その板面が軸方向に平行となる形で支軸３０に取り付けられた板状の反射板３１と、当該釣り用ルアー１の外形をなす外壁部１１に固定された第１の錘１８と、反射板３１に固定された第２の錘３３と、を備え、反射板３１は、支軸３０を回転軸として回転可能とされ、第２の錘３３は、反射板３１が回転することで、その回転軌跡上を揺動可能とされる。【選択図】図２
2020174559.tif 000002
【特許請求の範囲】
【請求項１】
内部が中空状をなす釣り用ルアーであって、
軸方向における両側の端部の内部側に支持された支軸と、
その板面が軸方向に平行となる形で前記支軸に取り付けられた板状の板状体と、
当該釣り用ルアーの外形をなす外壁部に固定された第１の錘と、
前記板状体に固定された第２の錘と、を備え、
前記板状体は、前記支軸を回転軸として回転可能とされ、
前記第２の錘は、前記板状体が回転することで、その回転軌跡上を揺動可能とされることを特徴とする釣り用ルアー。
【請求項２】
前記第２の錘は、前記板状体が回転することで、前記外壁部の内部側の面に衝突可能とされることを特徴とする請求項１に記載の釣り用ルアー。
【請求項３】
前記外壁部は、光を透過可能な構成とされ、前記板状体は、光を反射する反射板であることを特徴とする請求項１または請求項２に記載の釣り用ルアー。
【請求項４】
前記板状体は、軸方向と鉛直方向とがなす面で切断した前記外壁部の断面に倣う形で広がっていることを特徴とする請求項１から請求項３のいずれか１項に記載の釣り用ルアー。
【請求項５】
前記第２の錘は、前記第１の錘の鉛直方向に配されていないことを特徴とする請求項１から請求項４のいずれか１項に記載の釣り用ルアー。
【請求項６】
前記第２の錘は、前記第１の錘に対して軸方向における前方に配されていると共に、前記第１の錘に比して重量が小さいことを特徴とする請求項１から請求項５のいずれか１項に記載の釣り用ルアー。
【発明の詳細な説明】
【技術分野】
【０００１】
本発明は、釣り用ルアーに関する。
【背景技術】
【０００２】
従来、釣り用ルアーとして、特許文献１に記載のものが知られている。特許文献１に記載の釣り用ルアー（揺動ルアー）では、図５に示されるように、ルアーボディ１２において、側部２１ａの内枠部２７ａと側部２１ｂの内枠部２７ｂとで構成される空間部３５内に、重心位置を調整するための球状ウェイト３６が格納されており、球状ウェイト３６が、空間部３５内を移動自在となっていることが開示されている。そしてこのような構成により、ルアーボディ１２が傾斜するとその傾斜方向に球状ウェイト３６が移動し、ルアーボディ１２自身の重心位置が傾斜側に大きく変化するので、揺動速度の大きな揺動ルアーとなることができる、と記載されている。
【先行技術文献】
【特許文献】
【０００３】
【特許文献１】特開２００１−１６９６８６号公報
【発明の概要】
【発明が解決しようとする課題】
【０００４】
しかしながら、特許文献１に開示の構成では、揺動ルアーの動きがワンパターンであるため、疑似力及び集魚力等（アピール効果）の更なる向上が望まれる。また、使用者が釣り糸を介して引っ張ることを一時的に止めて、揺動ルアーの移動が止まった場合は、球状ウェイト３６が移動せずに揺動ルアーの揺動が止まってしまう。
【０００５】
本発明は上記のような事情に基づいて完成されたものであって、優れたアピール効果を発揮することができる釣り用ルアーを提供することを目的とする。
【課題を解決するための手段】
【０００６】
本発明は、内部が中空状をなす釣り用ルアーであって、軸方向における両側の端部の内部側に支持された支軸と、その板面が軸方向に平行となる形で前記支軸に取り付けられた板状の板状体と、当該釣り用ルアーの外形をなす外壁部に固定された第１の錘と、前記板状体に固定された第２の錘と、を備え、前記板状体は、前記支軸を回転軸として回転可能とされ、前記第２の錘は、前記板状体が回転することで、その回転軌跡上を揺動可能とされることに特徴を有する。
【０００７】
このような釣り用ルアーによると、第１の錘と第２の錘とが別々に動き、種々の位置関係となることで、当該釣り用ルアーが様々な挙動を示すことが可能となる。例えば、第１の錘と第２の錘とが重力により鉛直下向きとなる位置を鉛直位置としたときに、第１の錘が鉛直位置からずれた位置にある場合は、第１の錘が重力により鉛直位置に戻ろうとすることで、外壁部が軸方向を回転軸として回転し、釣り用ルアーが回転する動き（ローリング）を示しやすくなる。一方、第２の錘が鉛直位置からずれた位置にある場合は、第２の錘が重力により鉛直位置に戻ろうとすることで、板状体が揺動し、釣り用ルアーが振動する動き（ウォブリング）を示しやすくなる。また、第２の錘は、釣り用ルアーの内部側において揺動可能とされるので、水の抵抗によってその揺動が減衰することがない。従って、釣り糸で引っ張られた後に釣り用ルアーの移動が止まったとしても、第２の錘は一定時間揺動することができる。以上により、釣り用ルアーの疑似力及び集魚力が向上する。
【０００８】
上記構成において、前記第２の錘は、前記板状体が回転することで、前記外壁部の内部側の面に衝突可能とされることとすることができる。
【０００９】
このような釣り用ルアーによると、第２の錘が外壁部の内部側の面に衝突することで、衝突音を発生させることができる。これにより、音によって集魚力を向上させることができる。
【００１０】
上記構成において、前記外壁部は、光を透過可能な構成とされ、前記板状体は、光を反射する反射板であるとすることができる。
【００１１】
このような釣り用ルアーによると、第２の錘の揺動に伴って動く反射板が、外壁部を透過する光を様々な方向に反射させ、煌めくことができる。これにより、光によって疑似力及び集魚力を向上させることができる。
【００１２】
上記構成において、前記板状体は、軸方向と鉛直方向とがなす面で切断した前記外壁部の断面に倣う形で広がっていることとすることができる。
【００１３】
このような釣り用ルアーによると、板状体が外壁部の断面に倣う形で広がっていることで、外壁部の外形に係わらず、板状体の面積を比較的大きくすることができる。これにより、板状体が回転する範囲を広げることができる。そして、第２の錘の揺動によるウォブリングを大きくすることができる。また、仮に、第２の錘が外壁部の内部側の面に衝突可能とされる場合は、その衝突音を板状体によって共鳴させることが可能となる。さらに、板状体が反射板である場合は、光を広範囲に亘って反射させることが可能となる。
【００１４】
上記構成において、前記第２の錘は、前記第１の錘の鉛直方向に配されていないこととすることができる。
【００１５】
このような釣り用ルアーによると、第１の錘と第２の錘の位置関係に基づいた、当該釣り用ルアーの挙動のバリエーションを増やすことができる。そして、釣り用ルアーの動きを、より自然な動きに近づけて疑似力を向上させることができる。
【００１６】
上記構成において、前記第２の錘は、前記第１の錘に対して軸方向における前方に配されていると共に、前記第１の錘に比して重量が小さいこととすることができる。
【００１７】
このような釣り用ルアーによると、第１の錘よりも前方の部分を好適に動かすことができる。これにより、例えば頭部が自然に動く生物に当該釣り用ルアー擬態させ、疑似力を向上させることができる。
【発明の効果】
【００１８】
本発明によれば、優れたアピール効果を発揮することができる釣り用ルアーを提供することが可能となる。
【図面の簡単な説明】
【００１９】
【図１】実施形態１に係るルアーを左方から視た図
【図２】ルアーの本体部の断面図（図３のＩＩ−ＩＩ線断面）
【図３】ルアーの本体部を上方から視た図
【図４】ルアーの本体部の断面図（図３のＩＶ−ＩＶ線断面）
【図５Ａ】第２の錘が右回りに回転した状態を示す断面図
【図５Ｂ】第２の錘が左回りに回転した状態を示す断面図
【図６Ａ】第１の錘が右回りに回転した状態を示す断面図
【図６Ｂ】第１の錘が左回りに回転した状態を示す断面図
【図７】実施形態２に係るルアーを左方から視た説明図
【発明を実施するための形態】
【００２０】
＜実施形態１＞
本発明の実施形態１を図１から図６によって説明する。本実施形態では、例えばブラックバスを釣るための疑似餌として小魚を模したルアー（釣り用ルアー）１を説明する。尚、矢印方向Ｆを前方、矢印方向Ｂを後方、矢印方向Ｕを上方、矢印方向Ｄを下方、矢印方向Ｌを左方、矢印方向Ｒを右方として各図を説明する。
【００２１】
図１に示すように、ルアー１は、後述する釣り糸用リング６１に結び付けられる釣り糸を介し、使用者に引っ張られることで、水面付近を前方に移動可能なフローティングミノーである。ルアー１は、前後方向に長手状をなし、比重が１よりも小さいものとされる。ルアー１は、本体部１０と、連結部６０を介して本体部１０の後側に連結された尾部５０と、を備える。本体部１０と尾部５０は、連結部６０を支点とする所定範囲内において相対的に動くことができる。
【００２２】
尾部５０は、後側に向かうほど径が縮小する縮径部５１と、縮径部５１の後端部から後方に延伸した延伸部５２と、を備える。縮径部５１は、アクリル等の樹脂からなる非弾性部材である。一方、延伸部５２は、シリコンゴム等からなる弾性部材である。延伸部５２は、中央部が前後方向に亘って蛇腹状をなしている。以上により、尾部５０は、本体部１０に追従して滑らかなＳ字を描くように動くことができ、小魚の動きを好適に演出することができる。尚、縮径部５１の下側には、トリプルフック等の針を取り付けるための環状の針用リング６３が取り付けられている。
【００２３】
図２に示すように、本体部１０は、当該本体部１０の外形をなす外壁部１１を備え、外壁部１１によって内部が密閉された中空状をなしている。尚、以降は、外壁部１１よりも内側の方向を内部側、外壁部１１よりも外側の方向を外部側として各図を説明する。外壁部１１は、光を透過可能とされ、その素材としては、アクリル、ポリ塩化ビニル、PET、ポリカーボネート等の透明な樹脂を採用することができる。
【００２４】
図１から図３に示すように、外壁部１１は、楕円体の一部をなし、小魚の頭を模した頭部１２と、頭部１２の後側に一体的に形成され、楕円体の一部をなし、小魚の胴体を模した胴体部１３と、を備える。頭部１２と胴体部１３との間には、内部側に窪んで細くなった窪み部１４が形成されている。従って、本体部１０は、窪み部１４を境目として２つの楕円体の一部が前後方向に結合した形をなしている。尚、図４に示すように、左右方向と鉛直方向とがなす面で外壁部１１（頭部１２）を切断した断面は、左右方向が長手となる楕円形状をなしている。また、図２に示すように、窪み部１４には、トリプルフック等の針を取り付けるための環状の針用リング６２が外部側から取り付けられている。
【００２５】
図１から図３に示すように、頭部１２の外部側には、前上側の左右側に一つずつ配され、小魚の目を模した凸状をなす一対のアイ１５と、前下側の端部から外部側へ延在した板状のリップ１６と、前側の端部のやや下側に外部側から取り付けられた環状の釣り糸用リング６１と、が設けられている。本体部１０は、釣り糸用リング６１に結ばれた釣り糸を介して前方に引っ張られることで、水の抵抗をリップ１６で受けて、左右方向や下方に動くことができる。
【００２６】
図２及び図３に示すように、本体部１０は、胴体部１３の下部の内部側に形成された固定部１７に収容されることで、当該胴体部１３の内部側に固定された第１の錘１８を備える。第１の錘１８は、上面視が台形状をなす板状体であり（図３参照）、その素材としては、鉛やタングステンを採用することができる。また、外壁部１１は、連結部６０、釣り糸用リング６１、及び針用リング６２のそれぞれの内部側に膨出した膨出部２０，２１，２２を備える。連結部６０、釣り糸用リング６１、及び針用リング６２は、その一部が膨出部２０，２１，２２内に埋め込まれて固定されている。
【００２７】
外壁部１１の内部側には、前後方向に延伸する棒状の支軸３０と、支軸３０に取り付けられた板状の反射板（板状体）３１と、反射板３１の前側の下端部に固定された第２の錘３３と、が設けられている。支軸３０は、前後方向を軸方向として回転可能とされている。支軸３０は、頭部１２の前端部の内部側（前側の膨出部２１の上側）に設けられた支持部２３と、胴体部１３の後端部の内部側（後側の膨出部２０の上側）に設けられた支持部２２とに挟持（支持）され、前後方向を軸方向として回転可能とされている。
【００２８】
図２に示すように、反射板３１は、その板面が支軸３０の軸方向（前後方向）に平行となる形で支軸３０に取り付けられており、その表裏面の全体には、光を反射する光沢３２を有する（便宜上、反射板３１の後下部にのみ光沢３２を示している）。反射板３１は、前後方向を長手とし、上下方向を短手とする長板状をなしており、短手方向において上端から３分の１ほどの距離の部分にて支軸３０が長手方向に貫通している。反射板３１は、軸方向と鉛直方向とがなす面（即ち、図３におけるＩＩ−ＩＩ線断面）で切断した外壁部１１の断面に倣う形で広がっている。例えば、反射板３１の上端部３６は、外壁部１１の上側において、頭部１２、窪み部１４及び胴体部１３の形に倣うように曲がる形で広がっている。また、反射板３１の前端部３５及び中央の下端部３４は、膨出部２１，２２の形に倣うように内部側へ窪む形で広がっている。反射板３１の外周の端部と外壁部１１の内部側の面との間には、所定間隔が設けられており、反射板３１の外周の端部が外壁部１１の内部側の面に接することがない。
【００２９】
図４に示すように、反射板３１は、支軸３０を回転軸として回転可能とされている。具体的には、支軸３０が軸方向に回転可能に支持部２２，２３に挟持されているので、支軸３０が回転することで、支軸３０に取り付けられた反射板３１も連動して支軸３０の軸方向を中心として右回り（時計回り）又は左回り（反時計回り）に回転することができる。従って、反射板３１の回転軌跡は、支軸３０を中心として正円を描く。
【００３０】
図２から図４に示すように、第２の錘３３は、左右方向を長手とする楕円体であり、長手の中心が反射板３１の前側の下端部に取り付けられている。第２の錘３３は、頭部１２の内部側に配されており、第１の錘１８に対して前方やや上方に配されている。第２の錘３３は、第１の錘１８に比して重量が小さい。第２の錘３３の素材としては、鉛やタングステンを採用することができる。
【００３１】
第２の錘３３は、反射板３１が回転することで、その回転軌跡上を揺動可能とされる。具体的には、図４（図３のＩＶ−ＩＶ線断面を前方から視た図）に示すように、反射板３１が支軸３０を中心として正円を描いて回転することで、第２の錘３３は、支軸３０を中心として正円を描く形で右回り（時計回り）Ｃ１又は左回り（反時計回り）Ａ１に回転する。尚、第１の錘１８と第２の錘３３とが重力により鉛直下向きとなる位置（即ち、図４に示される位置）を鉛直位置と呼ぶ。第２の錘３３は、反射板３１の回転により右回りＣ１又は左回りＡ１に回転したとしても、鉛直位置に戻る力（当該第２の錘３３にかかる重力）が働き、左回りＡ１及び右回りＣ１に揺れ動く（揺動する）。
【００３２】
続いて、図５Ａから図６Ｂを用いて、ルアー１が水面（不図示）に浮かんだ状態において、使用者が釣り糸を介してルアー１を前方に引っ張ることで、第１の錘１８及び第２の錘３３が種々の位置関係となったときの当該ルアー１の挙動を説明する。図５Ａ及び図５Ｂは、第１の錘１８のみが鉛直位置となる状態を示し、図６Ａ及び図６Ｂは、第２の錘３３のみが鉛直位置となる状態を示している。第２の錘３３は、反射板３１が回転することで、頭部１２の内部側の面１２Ｂに衝突可能とされる。具体的には、図５Ａに示すように、反射板３１が、その板面を水平方向とするまで右回りに回転すると、第２の錘３３は、頭部１２の内部側の面１２Ｂの左側の部分に衝突する。衝突後、第２の錘３３は、鉛直位置に戻る力が働き、左回りＡ２に動く。一方、図５Ｂに示すように、反射板３１が、その板面を水平方向とするまで左回りに回転すると、第２の錘３３は、頭部１２の内部側の面１２Ｂの右側の部分に衝突する。衝突後、第２の錘３３は、鉛直位置に戻る力が働き、右回りＣ２に動く。以上から、第２の錘３３は、反射板３１の回転軌跡上、且つ、頭部１２の内部側の面１２Ｂに衝突するまでの範囲内において、揺動可能とされる。
【００３３】
図６Ａ及び図６Ｂでは、第２の錘３３が鉛直位置であることに対し、外壁部１１が回転することで第１の錘１８が鉛直位置にない状態を示している。図６Ａに示すように、外壁部１１が右回りに回転すると、第１の錘１８は、鉛直位置に戻る力が働き、左回りＡ３に動く。一方、図６Ｂに示すように、外壁部１１が左回りに回転すると、第１の錘１８は、鉛直位置に戻る力が働き、右回りＣ３に動く。尚、第１の錘１８の回転軌跡は、第２の錘３３の回転軌跡よりも外側となる。また、第２の錘３３（反射板３１）が回転する速さは、第１の錘１８（外壁部１１）が回転する速さよりも速い。
【００３４】
続いて、本実施形態の効果について説明する。本実施形態では、内部が中空状をなすルアー１であって、軸方向（前後方向）における両側の端部の内部側（支持部２２，２３）に支持された支軸３０と、その板面が軸方向に平行となる形で支軸３０に取り付けられた板状の反射板３１と、当該ルアー１の外形をなす外壁部１１に固定された第１の錘１８と、反射板３１に固定された第２の錘３３と、を備え、反射板３１は、支軸３０を回転軸として回転可能とされ、第２の錘３３は、反射板３１が回転することで、その回転軌跡上を揺動可能とされる構成を示した。
【００３５】
このようなルアー１によると、第１の錘１８と第２の錘３３とが別々に動き、種々の位置関係となることで、当該ルアー１が様々な挙動を示すことが可能となる。例えば、第１の錘１８が鉛直位置からずれた位置にある場合は、第１の錘１８が重力により鉛直位置に戻ろうとすることで、外壁部１１が軸方向を回転軸として回転し、ルアー１が回転する動き（ローリング）を示しやすくなる。一方、第２の錘３３が鉛直位置からずれた位置にある場合は、第２の錘３３が重力により鉛直位置に戻ろうとすることで、第２の錘３３及び反射板３１が小刻みに揺動し、ルアー１が左右に振動する動き（ウォブリング）を示しやすくなる。また、第２の錘３３は、ルアー１の内部側において揺動可能とされるので、水の抵抗によってその揺動が減衰することがない。従って、釣り糸で引っ張られた後にルアー１の移動が止まったとしても、第２の錘３３及び反射板３１は一定時間揺動することができる。以上により、ルアー１の疑似力及び集魚力が向上する。
【００３６】
また、第２の錘３３は、反射板３１が回転することで、外壁部１１の内部側の面１２Ｂに衝突可能とされる。
【００３７】
このようなルアー１によると、第２の錘３３が外壁部１１の内部側の面に衝突することで、衝突音を発生させることができる。これにより、音によって集魚力を向上させることができる。
【００３８】
また、外壁部１１は、光を透過可能な構成とされ、反射板３１は、光を反射する構成とされる。
【００３９】
このようなルアー１によると、第２の錘３３の揺動に伴って動く反射板３１が、外壁部１１を透過する光を様々な方向に反射させ、煌めくことができる。これにより、光によって疑似力及び集魚力を向上させることができる。
【００４０】
また、反射板３１は、軸方向と鉛直方向とがなす面で切断した外壁部１１の断面に倣う形で広がっている。
【００４１】
このようなルアー１によると、反射板３１が外壁部１１の断面に倣う形で広がっていることで、外壁部１１の外形に係わらず、反射板３１の面積を比較的大きくすることができる。これにより、反射板３１が回転する範囲を広げることができる。そして、第２の錘３３の揺動によるウォブリングを大きくすることができる。また、第２の錘３３が外壁部１１の内部側の面１２Ｂに衝突した場合は、その衝突音を反射板３１によって共鳴させることが可能となる。さらに、反射板３１にて、光を広範囲に亘って反射させることが可能となる。
【００４２】
また、第２の錘３３は、第１の錘１８の鉛直方向に配されていない。
【００４３】
このようなルアー１によると、第１の錘１８と第２の錘３３の位置関係に基づいた、当該ルアー１の挙動のバリエーションを増やすことができる。例えば、第１の錘１８と第２の錘３３の位置関係に基づいて頭部１２及び胴体部１３が左右に動くことができる。そして、ルアー１の動きを、より自然な動きに近づけて疑似力を向上させることができる。
【００４４】
また、第２の錘３３は、第１の錘１８に対して軸方向における前方に配されていると共に、第１の錘１８に比して重量が小さい。
【００４５】
このようなルアー１によると、第１の錘１８よりも前方の部分を好適に動かすことができる。これにより、例えば頭部が自然に動く生物に当該ルアー１擬態させ、疑似力を向上させることができる。
【００４６】
＜実施形態２＞
次に、本発明の実施形態２を図７によって説明する。本実施形態では、実施形態１とは外壁部の形状等が異なるルアー１０１を例示する。なお、本実施形態では、上記実施形態と同じ部位には、同一の符号を用い、構造、作用及び効果について重複する説明は省略する。
【００４７】
図１に示すように、ルアー１０１は、釣り糸用リング６１に結び付けられる釣り糸を介し、使用者に引っ張られることで、水面から１〜２メートル付近の水中を前方に移動可能なサスペンドミノーである。ルアー１０１の比重は１である。ルアー１０１の外形をなす外壁部１１１は、前側部分が、上下方向を長手とする楕円体をなし、後側部分が、後方に向かうほど細くなる流線形状をなしている。外壁部１１１の下端部及び後端部には、トリプルフック等の針を取り付けるための環状の針用リング６２，６３が外部側から取り付けられている。外壁部１１１の前端部やや下側には、環状の釣り糸用リング６１が外部側から取り付けられている。外壁部１１１において下端部から後端部に向かう斜面状の斜面部には、第１の錘１１８が内部側から固定されている。
【００４８】
外壁部１１１の内部側には、前後方向に延伸する棒状の支軸１３０と、支軸１３０に取り付けられた板状の反射板（板状体）１３１と、反射板１３１の前側の下端部に固定された第２の錘１３３と、が設けられている。反射板１３１は、前後方向を長手とし、上下方向を短手とする板状をなしており、短手方向における中央部分にて支軸１３０が長手方向に貫通している。
【００４９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００５０】
（１）上記実施形態以外にも、支軸は適宜変更可能である。上記実施形態では、支軸は、前後方向に延伸する棒状のものとしたが、これに限られない。例えば、支軸は、板状体から前後方向に凸状に突出した２つの凸部からなるものであってもよい。
【００５１】
（２）上記実施形態以外にも、第１の錘と第２の錘の位置は適宜変更可能である。例えば、第１の錘が頭部、第２の錘が胴体部に配されていてもよく、第１の錘と第２の錘とが、前後方向における中央部分において上下方向（鉛直方向）に並ぶ形で配されていてもよい。
【００５２】
（３）上記実施形態以外にも、釣り用ルアーの比重は適宜変更可能である。上記実施形態１では、釣り用ルアーの比重は、１よりも小さいものとしたが、これに限られない。例えば、釣り用ルアーの比重は、１よりも大きいものであってもよい。即ち、釣り用ルアーは、水底付近に沈むシンキングミノーであってもよい。
【００５３】
（４）上記実施形態では、釣り用ルアーは、ブラックバスを釣るための疑似餌（ミノー）としたが、これに限られない。例えば、釣り用ルアーは、カツオやカジキ等を釣るための海釣り用のルアーであってもよく、イカを釣るためのエギであってもよい。また、釣り用ルアーは、小魚を模したものとしたものとしたが、これに限られず、カエルやエビを模したものでもよい。
【符号の説明】
【００５４】
１…ルアー（釣り用ルアー）、１１…外壁部、１２Ｂ…外壁部１１の内部側の面、１８…第１の錘、３０…支軸、３１…反射板（板状体）、３３…第２の錘
【図１】
2020174559.tif 000003
【図２】
2020174559.tif 000004
【図３】
2020174559.tif 000005
【図４】
2020174559.tif 000006
【図５Ａ】
2020174559.tif 000007
【図５Ｂ】
2020174559.tif 000008
【図６Ａ】
2020174559.tif 000009
【図６Ｂ】
2020174559.tif 000010
【図７】
2020174559.tif 000011